(57)【要約】      （修正有）【課題】トルマリンの粉末状態によるその効果を高めつつ、更に、セラミックスの遠赤外線物質による優れた作用をも利用した、健康効果の高い優れた健康器具を提供する。【解決手段】トルマリン粉末により形成されてなるトルマリン層２とセラミックス層３との２層構造を備えてなることを特徴とし、形態として、ベルト状に形成し又はベルトを付設して構成され、首周り、腰又は手足に巻き付けるようになっていることを特徴とする。【選択図】図１
0003197065.tif 000002
【実用新案登録請求の範囲】
【請求項１】
トルマリン粉末により形成されてなるトルマリン層とセラミックス層との２層構造を備えてなることを特徴とする健康器具。
【請求項２】
トルマリン層が健康器具として人の肌に触れる側に位置してなることを特徴とする、請求項１に記載の健康器具。
【請求項３】
セラミックス層が、セラミックス系粒子により形成されてなることを特徴とする、請求項１又は２に記載の健康器具。
【請求項４】
セラミックス層が、麦飯石粒子により形成されてなることを特徴とする、請求項３に記載の健康器具。
【請求項５】
健康器具が、ベルト状に形成し又はベルトを付設して構成され、首周り、腰又は手足に巻き付けるようになっていることを特徴とする、請求項１、２、３又は４に記載の健康器具。
【考案の詳細な説明】
【技術分野】
【０００１】
本考案は、健康器具に関し、特に、トルマリン層とセラミックス層との２層構造を備えてなることを特徴とする健康器具に関するものである。
【背景技術】
【０００２】
トルマリンは、そのイオン化作用により、血液の流動性を高めることができることが知られている。一方、セラミックス等の遠赤外線物質は、毛細血管を広げ、血液の流動性をよくすることが知られている。
本考案者は、トルマリンに付いて鋭意検討したところ、トルマリンのイオン化作用は、粉末状態にてその効果が高まることを知った。そこで、当該トルマリンを粉末状態にして、その効果が高まることを生かしつつ、更に、セラミックス等の遠赤外線物質と組み合わせることが出来れば、健康器具としての効果を著しく高め得ることが出来るはずである。
しかし、両者をどのような形態にすれば、効果の高い健康器具が得られるのかが問題である。
尚、従来、当該トルマリンやセラミックスは、混合して使用される場合が多く、例えば、特開２０１０−３６００１号公報には、当該トルマリン及びセラミックスを混練し成型したゴム・ブレ−ドを加熱用電気ヒ−タ−と組み合わせてなる温熱治療器が記載されている。
又、特開２００８−１６９０７０号公報には、非金属の母体を加熱溶融させ、該溶融した非金属の母体に銅と炭素同素体とを添加し、冷却して形成してなる高熱拡散・高熱伝導の無機複合体が記載されており、当該非金属の母体を、セラミックス及びトルマリンで構成することが記載され、当該無機複合体は、高熱拡散・高熱伝導で、氷の融解剤等に使用されることが記載されている。
【先行技術文献】
【特許文献】
【０００３】
【特許文献１】特開２０１０−３６００１号公報、特開２００８−１６９０７０号公報
【考案の開示】
【考案が解決しようとする課題】
【０００４】
本考案は、上記目的に立脚して、トルマリンやセラミックスを用いた新規な健康器具を提供することを目的としたものである。
本考案の他の目的および新規な特徴は以下の明細書及び図面の記載からも明らかになるであろう。
【課題を解決するための手段】
【０００５】
本考案者は、鋭意検討の結果、トルマリン粉末により形成されてなるトルマリン層の単層とセラミックス層の単層との別々の２層構造にすることにより、トルマリンの粉末状態によるその効果を高めつつ、更には、当該２層構造により、セラミックス等の遠赤外線物質による優れた作用をも利用して、健康効果の高い優れた健康器具を得ることが出来た。
本考案の実用新案登録請求の範囲は、次の通りである。
（請求項１）  トルマリン粉末により形成されてなるトルマリン層とセラミックス層との２層構造を備えてなることを特徴とする健康器具
（請求項２）  トルマリン層が健康器具として人の肌に触れる側に位置してなることを特徴とする、請求項１に記載の健康器具。
（請求項３）  セラミックス層が、セラミックス系粒子により形成されてなることを特徴とする、請求項１又は２に記載の健康器具。
（請求項４）  セラミックス層が、麦飯石粒子により形成されてなることを特徴とする、請求項３に記載の健康器具。
（請求項５）健康器具が、ベルト状に形成し又はベルトを付設して構成され、首周り、腰又は手足に巻き付けるようになっていることを特徴とする、請求項１，２、３又は４に記載の健康器具。
【考案の効果】
【０００６】
本願において開示される発明のうち代表的なものによって得られる効果を簡単に説明すれば、下記のとおりである。
すなわち、本考案によれば、請求項１に示すように、健康器具において、トルマリン粉末により形成されてなるトルマリン層とセラミックス層との２層構造を備えてなるようにすると、トルマリンの粉末状態によるその効果を高めつつ、更に、当該２層構造により、セラミックス等の遠赤外線物質による優れた作用をも利用して、健康効果の高い優れた健康器具を得ることが出来た。
当該健康器具では、一定の厚みを有するセラミックス層から遠赤外線を放射し、トルマリン粉末により形成されてなるトルマリン層を介して、人体の皮膚などに放射され、血液の流動性を高めることができると共に、当該トルマリン層からのトルマリンの粉末からは、そのイオン化作用に基づき、人体の血液の流動性を高めることができる。セラミックス層による遠赤外線は、金属以外の物質中は通過するので、当該トルマリン層を介して、その役割を果たすことができる。
【０００７】
又、請求項２に示すように、トルマリン層を、健康器具として人の肌に触れる側に位置させると、上記事項からも判るように、より一層上記効果を高めることができる。
【０００８】
更に、請求項３に示すように、セラミックス層が、セラミックス系粒子により形成されることにより、上記のような欠点を解消し、又、前記効果をより一層高めることができる。セラミックス層を、セラミックス系粒子により構成すると、一定の厚みを持たせ、又、その柔軟性を保持し、更に、肌に触れても痛くないようにすることができる。
【０００９】
更に又、請求項４に示すように、セラミックス層におけるセラミックス系粒子が、麦飯石粒子により形成されてなると、トルマリンの粉末状態によるその効果を高め、又、上記効果をより一層高めることができる。
【００１０】
更に又、請求項５に示すように、本考案の健康器具は、ベルト状に形成し又はベルトを付設して構成して、特に、首周り、腰又は手足のような部位に巻き付けるようにすると、それら部位の血液の流動性等を高め、疲労回復、凝りの解消等に役だたせることができる。
【００１１】
次に、本考案の実施例を図面を参照しつつ説明する。
【実施例】
【００１２】
本考案の健康器具１の断面図の一例を図１に示す。
図示のように、健康器具１は、トルマリン層（トルマリン粉末により形成されてなるトルマリン層、以下、トルマリン粉末層という場合もある。）２とセラミックス層３との２層構造を有してなる。
当該健康器具１は、例えば、次のようにして製造することができる。
先ず、粘着シ−ト本体４００と粘着層４０１とからなる粘着シ−ト４の当該粘着層４０１の当該粘着面に、セラミックスを付着塗布させ、セラミックス層３を形成する。次いで、両面粘着シ−ト本体５００と両面粘着層５０１，５０１と剥離紙（図示せず）を備えた両面粘着シ−ト５の片方の粘着層５０１の粘着面を、当該セラミックス層３に付着させ、一方、当該両面粘着シ−ト５の剥離紙を剥離し、露出した当該両面粘着シ−ト５の他方の粘着層５０１の粘着面に、トルマリン粉末を付着塗布させ、トルマリン粉末層２を形成する。トルマリン粉末層２は、被覆層６で被覆する。
図示で例示するように、当該健康器具１は、粘着シ−ト４とセラミックス層３と両面粘着シ−ト５とトルマリン粉末層２と被覆層６とからなる。
トルマリン粉末層２側が、前記観点から、人体面の人の肌に触れる側に位置させるとよい。
図示のように、トルマリン層２におけるトルマリンは、粉末状態のトルマリンとする。
セラミックス層３による遠赤外線を放射する層は、一定の厚みがあった方が、熱の蓄積・放射の力が高まる。
トルマリン層２とセラミックス層３とは、図示のように、夫々単独の層にすることで、面積当たりの使用率が均一化され又増量される。
セラミックス層３による遠赤外線を放射する層は、金属以外の物質は透過することができるので、図示のように、２層化して、トルマリン層２から離れた部位に位置させても、その役割を果たすことができる。
【００１３】
トルマリン層２を形成するトルマリン（ｔｏｕｒｍａｌｉｎｅ）は、そのケイ酸塩鉱物の結晶を熱すると電気を帯びるので電気石と称され、アメリカ合衆国などで産出される。トルマリンには、例えば、鉄電気石、苦土電気石、 リシア電気石等の種類がある 
トルマリン粉末は、当該電気石を破砕し、粉末状にすることにより得ることができる。
【００１４】
セラミックス層３を形成するセラミックスは、『非金属・無機材料であって、その製造工程において高温処理を受けたもの』と定義されている。
当該セラミックスの中には、ファインセラミックスも包含され、当該ファインセラミックスは、ＪＩＳ１６００（ファインセラミックス関連用語）では、『目的の機能を十分に発現させるため、化学組成、微細組織、形状および製造工程を精密に制御して製造したもので、主として非金属の無機物質から成るセラミックス』と定義されている。
当該セラミックスは、その組成の面から、以下のように分類される。
元素系  例：ダイヤモンド （Ｃ）
酸化物系  例：アルミナ （Ａｌ２Ｏ３）、ジルコニア 
水酸化物系  例：ハイドロキシアパタイト 
炭化物系  例：炭化ケイ素 （ＳｉＣ）
窒化物系  例：窒化ケイ素 
ハロゲン化物系  例：蛍石 
他に、炭酸塩系、リン酸塩系 
主なファインセラミックスには、チタン酸バリウム、窒化ホウ素、フェライト、チタン酸ジルコン酸鉛、炭化ケイ素、窒化ケイ素、ステアタイト（ＭｇＯＳｉＯ２） 、酸化亜鉛、ジルコニア等が挙げられる。 
【００１５】
当該セラミックス層３を形成するセラミックスには、岩石の粉末から数ミリの粒状セラミックス迄使用することができが、粒状セラミックス（セラミックス系粒子）が、板状の固形体に比べて、セラミックス層３に柔軟性を与え、又、肌に対して痛さを与えない等の点で好ましい。
当該セラミックス系粒子とは、前記で定義されたセラミックスの粒子の他に、セラミックスに類似又はその系統の粒子を包含する。
【００１６】
当該粒状セラミックス（セラミックス系粒子）には、例えば、麦飯石粒子を使用することができる。
麦飯石粒子における当該麦飯石は、花崗斑岩あるいは石英斑岩の１種で、暗黒色の石基の中に白い石英の斑晶が浮かぶ姿が、麦飯に見えることから、麦飯石と名付けられ、麦飯を集めたような豆粒或いは米粒大の粒状結晶が存在する。多孔質で、岐阜県加茂郡白川町等の地で産する。無水ケイ酸が主成分（７割）である。
当該麦飯石粒子における当該麦飯石の粒径としては、通常は、約９ｍｍ〜１５ｍｍであるが、上記観点から、例えば、粒径１ｍｍ〜２ｍｍとすることが好ましい。
【００１７】
麦飯石粒子は、その原石又は鉱石や成形体が使用できる。一旦原石又は鉱石を粉末とし、成形後に、焼成（焼結）してもよい。
成形体は、例えば、麦飯石粒子成形体の場合、麦飯石をガラス粉末等のバインダに分散させて焼成させることにより得ることができる
焼成温度は、４５０〜８５０℃の低温で行う場合もあるが、人体に対して有効となる等から、１３００℃以上好ましくは１３００℃〜２０００℃の高温で焼成させることが好ましい。
上記の成形や焼結は、セラミックスや粉末冶金で通常用いられている方法で行うことができる。例えば、金型成形、ＣＩＰ等による加圧成形、無加圧焼結、ホットプレス、ＨＩＰ、放電プラズマ焼結（ＳＰＳ）等による焼結を行うことができる。これらの中でも、ＳＰＳは粉末成形が不要で、短時間で緻密な焼結体が得られ、焼結時の変形がない等の利点がある。
【００１８】
当該健康器具１を形成するのに使用される粘着シ−ト４には、市販のものが使用できる。例えば、粘着シ−ト本体４００は、布により構成される。
粘着層４０１を構成する粘着付与剤としては、例えば、ロジン系樹脂、テルペン系樹脂（例えば、テルペン−芳香族系液状樹脂など）、クマロンインデン系樹脂、石油系樹脂（例えば、Ｃ５系石油樹脂、Ｃ５／Ｃ９系石油樹脂など）、フェノ−ル系樹脂、キシレン系樹脂、アルキド系樹脂などが挙げられる。
両面粘着シ−ト本体５００も、同様の構成からなる。
トルマリン粉末層２を被覆する被覆層６は、例えば、布により構成される。
【００１９】
本考案による健康器具１は、図２Ａに示すように、開きが可能なリング状にして、一方の端部及び他方の端部に夫々マジックテ−プ（登録商標）部７を設け、図２Ｂに示すように、端部同士を当該マジックテ−プ（登録商標）７で固定して、例えば、図３に示すように、首に巻き付け使用することができる。一方の端部に他方の端部の隙間に差込み、同様に、リング状にして使用する形態でもよい。
当該リング状の健康器具１の一部を、前記図１の断面図で示すようなトルマリン層２とセラミックス層３との２層構造を有するものにしてもよい。
当該健康器具１は、図３に示すように、肌に触れるように、首に巻き付け使用するのが、血流効果や遠赤外線効果などから、好ましいが、図４に示すように、シャツの襟の中にネクタイ式に収めることができる。
【００２０】
本考案による健康器具１は、図５に示すように、ゴムベルト１００の内側に、前記図１の断面図で示すようなトルマリン層２とセラミックス層３との２層構造を有してなる健康器具部１０１を付設して、図６に示すようなリング状の健康器具１を構成し、例えば、図７に示すように、腰の周りに当該トルマリン層２とセラミックス層３との２層構造を有してなる健康器具部１０１を当接し、ゴムベルト１００を腰に固定して使用することができる。一方の端部及び他方の端部に夫々マジックテ−プ（登録商標）部７を設け、当該マジックテ−プ（登録商標）部７で端部同士を固定して、当該健康器具１を構成することができる。
当該健康器具１は、肌に直接触れさせても又下着の上から着用してもよい。
ゴムベルト１００は、その長さを調節できるようにしておくのがよい。
【００２１】
本考案による健康器具１は、図８に示すように、前記図１の断面図で示すようなトルマリン層２とセラミックス層３との２層構造を有してなる健康器具部１０１に、ゴムベルト１００を付設して、図８及び図９に示すような健康器具１を構成し、当該健康器具部１０１が、局所的に、大腿部や二の腕等の比較的に太い部分に、例えば、図１０に示すように、例えば、大腿部や二の腕の周りに当該トルマリン層２とセラミックス層３との２層構造を有してなる健康器具部１０１を当接し、ゴムベルト１００で固定して使用することができる。ゴムベルト１００は、その長さを調節できるようにしておくのがよい。
【００２２】
本考案による健康器具１は、図１１に示すように、前記図１の断面図で示すようなトルマリン層２とセラミックス層３との２層構造を有してなる健康器具部１０１の片側に、ゴムベルト１００を付設して健康器具１を構成し、当該健康器具部１０１が、局所的に、例えば、図１２に示すように、足のふくらはぎ部分に、又、図１３に示すように、足裏に、当該トルマリン層２とセラミックス層３との２層構造を有してなる健康器具部１０１を当接し、ゴムベルト１００で固定して使用することができる。疲れた足が軽くなり、冷え性やむくみにも著効がある。
【００２３】
本考案は上記実施例に限定されず、適宜変更が可能である。本考案による健康器具１は、セラミックス層３側が人体に触れる態様にしてもよい。
【産業上の利用可能性】
【００２４】
本考案の健康器具は、その他膝小僧等の部位等にも効果がある。
【図面の簡単な説明】
【００２５】
【図１】本考案の実施例を示す健康器具の断面図である。
【図２】（Ａ）、（Ｂ）各々本考案の実施例を示す健康器具の断面図である。
【図３】本考案の使用例を示す説明図である。
【図４】本考案の使用例を示す説明図である。
【図５】本考案の他の実施例を示す健康器具の断面図である。
【図６】本考案の使用例を示す説明図である。
【図７】本考案の使用例を示す説明図である。
【図８】本考案の他の実施例を示す健康器具の正面図である。
【図９】本考案の上記図８の他の実施例を示す健康器具の裏面図である。
【図１０】本考案の使用例を示す説明図である。
【図１１】本考案の他の実施例を示す健康器具の正面図である。
【図１２】本考案の使用例を示す説明図である。
【図１３】本考案の使用例を示す説明図である。
【符号の説明】
【００２６】
１…健康器具
２…トルマリン層
３…セラミックス層
４…粘着シート
５…両面粘着シート
【図１】
0003197065.tif 000003
【図２】
0003197065.tif 000004
【図３】
0003197065.tif 000005
【図４】
0003197065.tif 000006
【図５】
0003197065.tif 000007
【図６】
0003197065.tif 000008
【図７】
0003197065.tif 000009
【図８】
0003197065.tif 000010
【図９】
0003197065.tif 000011
【図１０】
0003197065.tif 000012
【図１１】
0003197065.tif 000013
【図１２】
0003197065.tif 000014
【図１３】
0003197065.tif 000015